(57)【特許請求の範囲】
【請求項１】
上下に貫通した平面十字形の貫通孔を形成するように４つの分割片を前後左右に並べ、これらの分割片が断面菱形、断面円形または断面楕円形のいずれかの連結体で接合されたことを特徴とするコンクリートスラブ用埋込材。
【請求項２】
上下に貫通した平面十字形の貫通孔を形成するように４つの分割片を前後左右に並べ、これらの分割片が断面菱形、断面円形または断面楕円形のいずれかの連結体で接合されたコンクリートスラブ用埋込材を、コンクリート板の上面に設置してなることを特徴とするプレキャストコンクリート板。
【請求項３】
上下に貫通した平面十字形の貫通孔を形成するように４つの分割片を前後左右に並べ、これらの分割片が断面菱形、断面円形または断面楕円形のいずれかの連結体で接合されたコンクリートスラブ用埋込材を、コンクリート板の上面に設置してプレキャストコンクリート板を形成し、該プレキャストコンクリート板を梁間に隣接状態で敷設して下床を形成し、該下床上にトップコンクリートを打設してなることを特徴とする中空コンクリートスラブ。
【発明の詳細な説明】
【０００１】
【発明の属する技術分野】
本発明はコンクリートスラブ用埋込材、プレキャストコンクリート板および中空コンクリートスラブに関するものである。
【０００２】
【従来の技術】
中空コンクリートスラブは、図９の（１）および（２）に示すように、コンクリートスラブ用埋込材２８を配設したプレキャストコンクリート板２９上にトップコンクリート３０が打設されて構築されている。この中空コンクリートスラブ３１は軽く、かつコンクリートスラブ用埋込材２８を配設しないスラブと同程度の重量床衝撃音性能を有している。
【０００３】
【発明が解決しようとする課題】
しかし、上記の中空コンクリートスラブ３１は、コンクリートスラブ用埋込材２８の中空部３２における上部コンクリート（以下上部シェルという）３３と下部コンクリート（以下下部シェルという）３４とが共振現象、いわゆる太鼓現象を起こすため、特に１ＫＨＺ前後の周波数帯域で軽量床衝撃音性能が著しく低下するという問題があった。
【０００４】
本発明はこれらの問題に鑑みてなされたものであり、その目的は、上部シェルと下部シェルとが共振する太鼓現象を防ぐことができるコンクリートスラブ用埋込材、プレキャストコンクリート板および中空コンクリートスラブを提供することである。
【０００５】
【課題を解決するための手段】
以上の課題を解決するための手段は、請求項１の発明が、上下に貫通した平面十字形の貫通孔を形成するように４つの分割片を前後左右に並べ、これらの分割片が断面菱形、断面円形または断面楕円形のいずれかの連結体で接合されたことを特徴とする。また請求項２の発明が、上下に貫通した平面十字形の貫通孔を形成するように４つの分割片を前後左右に並べ、これらの分割片が断面菱形、断面円形または断面楕円形のいずれかの連結体で接合されたコンクリートスラブ用埋込材を、コンクリート板の上面に設置してなることを特徴とする。また請求項３の発明が、上下に貫通した平面十字形の貫通孔を形成するように４つの分割片を前後左右に並べ、これらの分割片が断面菱形、断面円形または断面楕円形のいずれかの連結体で接合されたコンクリートスラブ用埋込材を、コンクリート板の上面に設置してプレキャストコンクリート板を形成し、該プレキャストコンクリート板を梁間に隣接状態で敷設して下床を形成し、該下床上にトップコンクリートを打設してなることを特徴とする。
【０００６】
軽量床衝撃音性能を高めるコンクリートスラブ用埋込材を形成することができる。連結体で接続された分割片同士の間にトップコンクリートが打設される貫通溝が形成される。連結体を断面菱形、断面円形、断面矩形、断面台形としたので、連結片同士の間にトップコンクリートを簡単に打設することができる。連結体で接続された分割片同士間にトップコンクリートが打設されて上部シェルと下部シェルとが接合されるので、これらの共振現象、すなわち太鼓現象を防ぐことができる。連結体で接続された分割片同士の間にトップコンクリートが打設されると、コンクリートスラブ用埋込材が複数に分割されて中空コンクリートスラブ内に設置されたようになる。太鼓現象を防いで軽量床衝撃音性能を高めるプレキャストコンクリート板および中空コンクリートスラブを提供することができる。
【０００７】
【発明の実施の形態】
以下、本発明のコンクリートスラブ用埋込材（以下埋込材という）、プレキャストコンクリート板（以下ＰＣ板という）および中空コンクリートスラブ（以下スラブという）の実施の形態を図面に基づいて説明する。はじめに埋込材について説明した後、この埋込材を使用したＰＣ板およびスラブについての実施の形態について説明するが、各実施の形態において同じ構成は同じ符号を付して説明し、異なった構成は異なった符号を付して説明する。
【０００８】
図１は第１の実施の形態の埋込材１を示したものである。この埋込材１はポリスチレン系樹脂やポリオレフイン系樹脂などの発泡体であり、５つの分割片２同士が中央部における連結体３で接合されて構成されている。この連結体３は断面菱形に形成され、連結片同士間および連結体下側へのトップコンクリートの打設が簡単にできるようになっている。したがって、この埋込材１は、あたかも１個で、分割された複数の埋込材がプレキャストコンクリート板上に設置できるようになる。また、同図の（５）に示すように、分割片２に中空部４を設けて埋込材１全体を軽量にすることもできる。
【０００９】
図２は第２の実施の形態の埋込材５を示したものである。この埋込材５は分割片２同士が２本の連結体３で接続して構成されたものであり、これ以外は埋込材１と同じ構成である。この埋込材５は分割片２同士の中央部に上下に貫通した貫通孔６が形成されている。
【００１０】
図３は第３の実施の形態の埋込材７を示したものである。この埋込材７は連結体３を断面円形にしたものであり、これ以外は前記埋込材１と同じ構成である。また（３）の埋込材８は、上記の埋込材５と同様に分割片同士が２個の断面円形の連結体３で接続されたものである。
【００１１】
なお、上記の分割片２は５個、すなわち一つの埋込材が５分割されているが、これ以上またはこれ以下の分割数であってもよい。
【００１２】
図４は第４の実施の形態の埋込材９を示したものである。これらの埋込材９は４つの分割片２、すなわち図示するように、上下に貫通した平面十字形の貫通孔６を形成するように４つの分割片２を前後左右に並べて断面菱形の連結体３で接続したものである。この埋込材９も一つの埋込材が４分割されているが、これ以上またはこれ以下の分割数であってもよく、上記分割片２に図１の（５）に示すような中空部４を設けることもできる。
【００１３】
また、上記のように４分割ではなく、長辺に沿って二分割した分割片２が断面菱形の連結体３で接続された埋込材を形成することもできる。この場合、分割片２は少なくとも１つ以上の連結体で接続されているものとする。
【００１４】
また、上記の埋込材１、５、７、８、９における連結体３は断面菱形または断面円形に限らず、断面楕円形、断面三角形、断面方形または断面台形であってもよい。
【００１５】
次に、上記の埋込材を使用したＰＣ板の実施の形態について説明するが、この実施の形態において上記の実施の形態と同じ構成は同じ符号を付して説明し、異なった構成は異なった符号を付して説明する。
【００１６】
図５はＰＣ板１０の実施の形態を示したものであり、このＰＣ板１０はコンクリート板１１の長辺に沿って適宜間隔ごとに配筋されたトラス筋１２間に埋込材１が設置されて構成されている。このトラス筋１２は、三角形状に配置された一本の上弦筋１３と二本の下弦筋１４とが波形のラチス筋１５で接合されたものであり、下弦筋１４がコンクリート板１１の曲げ補強筋１６に接合されている。この埋込材１は分割片２が連結体３で接続されているため、あたかも５分割された埋込材がコンクリート板１１に設置されたようになっており、各分割片２同士の間には上下に貫通した貫通溝１７が形成されている。また連結体３が断面菱形であるため、前記貫通溝１７や連結体下側にトップコンクリートが打設されやすくなっている。
【００１７】
なお、上記のＰＣ板１０の他に第２〜第４の埋込材５、７、８、９を使用したＰＣ板、あるいは第１〜第４の埋込材５、７、８、９を少なくとも二種以上使用したＰＣ板を形成することもできる。
【００１８】
次に、上記のＰＣ板を使用したスラブの実施の形態について説明するが、この実施の形態において上記と同じ構成は同じ符号を付して説明し、異なった構成は異なった符号を付して説明する。
【００１９】
図６〜図８はスラブ１８の実施の形態を示し、このスラブ１８はＰＣ板１０が長尺梁１９と短尺梁２０との間に敷設されて下床２１が形成され、ここにスラブ上端筋２２が配筋されるとともにトップコンクリート２３が打設されて形成されたものである。このトップコンクリート２３が分割片同士間の貫通溝１７に打設されて上部シェル２４と下部シェル２５とを接続する接合部２６が形成されている。この接合部２６は連結体３を覆うようにして分割片同士間に形成されるので、あたかも埋込材が５分割されてスラブ１８内に配設されたようになっている。すなわち、上部シェル２４と下部シェル２５とは、図８に示すように、各分割片同士間に形成された接合部２６によって連結されている。したがって、上部シェル２４と下部シェル２５とは接合部２６で一体となって剛性が高められるので、これらが共振する太鼓現象を防ぐことができるようになる。
【００２０】
また上記のスラブ１８の他に、第２〜第４の埋込材５、７、８、９を使用したＰＣ板、あるいは第１〜第４の埋込材１、５、７、８、９を少なくとも二種以上組み合わせたＰＣ板を使用したスラブを構築することもできる。
【００２１】
【発明の効果】
軽量床衝撃音性能を高める埋込材を形成することができる。
【００２２】
連結体で接続された分割片同士間にトップコンクリートが打設される貫通溝が形成される。
【００２３】
連結体を断面菱形、断面円形、断面楕円形、断面三角形、断面方形、断面台形としたので、連結片同士間にトップコンクリートを簡単に打設することができる。
【００２４】
連結体で接続された分割片同士間にトップコンクリートが打設されて上部シェルと下部シェルとが接合されるので、これらが共振する太鼓現象を防ぐことができる。
【００２５】
連結体で接続された分割片同士間にトップコンクリートが打設されると、埋込材が分割されて中空コンクリートスラブ内に設置されたようになる。
【００２６】
太鼓現象を防いで軽量床衝撃音性能を高めるプレキャストコンクリート板および中空コンクリートスラブを提供することができる。
【００２７】
分割片同士間の貫通溝を排水用の水みちにすることができる。
【図面の簡単な説明】
【図１】第１の実施の形態の埋込材であり、（１）は平面図、（２）は側面図、（３）は（１）のＡ−Ａ線断面図、（４）は同Ｂ−Ｂ線断面図、（５）は他の埋込材の断面図である。
【図２】第２の実施の形態の埋込材であり、（１）は平面図、（２）は（１）のＣ−Ｃ線断面図、（３）は同Ｄ−Ｄ線断面図である。
【図３】第３の実施の形態の埋込材であり、（１）は平面図、（２）は（１）のＥ−Ｅ線断面図、（３）は他の埋込材の断面図である。
【図４】第４の実施の形態の埋込材であり、（１）は平面図、（２）は（１）のＦ−Ｆ線断面図、（３）は同Ｇ−Ｇ線断面図である。
【図５】（１）はＰＣ板の平面図、（２）は（１）のＨ−Ｈ線断面図、（３）は同Ｉ−Ｉ線断面図である。
【図６】スラブの一部切欠平面図である。
【図７】（１）〜（３）はスラブの断面図である。
【図８】スラブの上部シェルと下部シェルとの接合を示す接合部の断面図である。
【図９】（１）は従来のスラブの断面図、（２）は同じく従来のスラブの一部切欠断面図である。
【符号の説明】
１、５、７、８、９、２８  埋込材
２  分割片
３  連結体
４、３２  中空部
６  貫通孔
１０、２９  ＰＣ板
１１  コンクリート板
１２  トラス筋
１３  上弦筋
１４  下弦筋
１５  ラチス筋
１６  曲げ補強筋
１７  貫通溝
１８、３１  スラブ
１９  長尺梁
２０  短尺梁
２１  下床
２２  スラブ上端筋
２３、３０  トップコンクリート
２４、３３  上部シェル
２５、３４  下部シェル
２６  接合部
【図１】
0003701196.tif 000002
【図２】
0003701196.tif 000003
【図３】
0003701196.tif 000004
【図４】
0003701196.tif 000005
【図５】
0003701196.tif 000006
【図６】
0003701196.tif 000007
【図７】
0003701196.tif 000008
【図８】
0003701196.tif 000009
【図９】
0003701196.tif 000010